(57)【特許請求の範囲】
【請求項１】
背もたれユニットと、伸縮可能なハンドルセットと、座席ユニットと、２個の前輪ブラケットセットと、２個の後輪ブラケットセットと、基部ユニットと、据付座と、複数個の挿入ピンと、複数個のねじと、細長い丸棒とから構成される自転車の幼児用座席構造であって、前記幼児用座席構造が、
前記背もたれユニット２０は、背もたれ本体２１と、該背もたれ本体の背面に固定用ブロック２２を介して固定部材２４によって固定されたＵ字形状のスリーブ本体２３と、前記スリーブ本体２３に形成された半円形案内部２３１に上下方向の移動によって前記ハンドルセット３０を伸縮可能状態に保持する摩擦ブロック２５および偏心手段２６とから構成され、
前記伸縮可能なハンドルセット３０は、下端に係止部材３１を装着した上下方向に移動可能な一対の内管３２と、該内管３２の上端部を固定する半割筒状の下方管３３と、下方管３３の開口を上方より覆って連結される上方管３４とからなり、前記連結された上方，下方管３４，３３の外周囲には外管３５が配設され、左右両端開口部には、係止用カバー３６が装着されてなり、
前記座席ユニット４０は、座席本体４１と前記背もたれ本体２１とを連結する連結部材４２と、水平一端部が座席本体４１の裏面側に係止され、垂直他端部が背もたれ本体２１の背面側に位置するように配設されたＬ字形フレーム４３と、前記座席本体４１の前側下方に着脱可能に装着された一対の足載板４４と、前記一対の足載板４４に連結された一対の支持プレート４５とから構成され、
前記連結部材４２は、細長い箱状体であって、その内部に配置されたＬ字形摺動溝４２１と、その前方側に突出している細長い固定用片４２２とが形成されており、
前記前輪ブラケットセット５０は、前記座席本体の側板の下方に装着される回転ヘッド５１と、係止ボルト５２と、係合ブロック５３と、大バネ５４と、小バネ５５と、旋回可能に接続された回転輪５６３が設けられた前輪ブラケット５６とナットとから構成され、
前記後輪ブラケットセット６０は、リベット６１と、後輪ブラケット６２と、補強プレート６３と、連結プレート６４と、伸縮性プレート６５と、圧縮バネ６６と、回転輪６７と、複数個のリングワッシャ６８とから構成され前記リベット６１により前記座席本体４１の座席裏面側に配設した車輪旋回座７４に旋回可能に連結されており、
前記基部ユニット７０は、基部本体７１と、２個の係止ブロック７２と、２個のバネ７３と、車輪旋回座７４と、強化片７５と、２本の強化ロッド７６と、２個のバネワッシャ７７と、２個のキー溝プレート７９とから構成されており、
前記据付座８０は、台形ハウジングである据付本体８１と、２本のピンブロック８２と、２個の圧縮バネ８３と、引出し部材８４と、２個の挿入ボルト８５と、２個の三角形固着片８６と、翼状片８７とから構成され、
前記細長い丸棒を、前記基部本体７１の細長い旋回用穴と前記車輪旋回座７４の２個の旋回ブロックとに通して、基部本体７１をその前面側で車輪旋回座７４に係合させ、前記基部本体７１が、その後方で前記調整用ブロックに隣接して、前記車輪旋回座の上表面に設置され、前記係止ブロックを、調節用ブロックの他端側で下方へ回転して、調節用ブロックを適切な位置へ位置付けて、使用時に基部本体が外れるのを防止するようにしてなり、
前記据付座を前記三角形固着片と翼状片とを介して自転車の後部の荷台に固定して幼児用座席構造とし、あるいは、前記前輪ブラケット及び後輪ブラケットを下方へ回転させて地面に接地させると共に、前記伸縮可能なハンドルセットを使用するに適切な高さまで引っ張り上げることで、ベビーバギーとし、あるいはまた、前記後輪ブラケットを下方へ回して床に接地すると共に、前記前輪ブラケットは前記座席本体の収容溝の所に格納して、前記支持プレートを座席本体のＬ字形フック手段のところで適切な高さまで調節して、床に接地させて、適切な高さの位置決め穴へ前記位置決めキーを位置付けることで、通常の幼児用椅子にするというように様々に異なる使用目的に合わせて簡単に調節することができるようにしたことを特徴とする自転車の幼児用座席構造。
【請求項２】
２本の伸縮可能な内管は、スリーブ本体の半円形の案内路及び前記背もたれ本体の後側に配置された弓形摺動溝によって形成された空間に摺動できるようにしたことを特徴とする請求項１記載の自転車の幼児用座席構造。
【請求項３】
一側面で前記摩擦ブロックと隣接し、且つ、上部及び底部で固定用部材の半円形固定部分へ取り付けられた前記偏心手段は、前後に回転できるようになることを特徴とする請求項１記載の自転車の幼児用座席構造。
【請求項４】
前記Ｌ字形フレームは前記座席本体のギザギザの係合リブ上で再位置付けのために前後へ動かすことができ、使用に際し背もたれ本体の角度を調節できるようにしたことを特徴とする請求項１記載の自転車の幼児用座席構造。
【請求項５】
前記基部本体は前記車輪旋回座の２個の旋回ブロックを介して上下に回転できるようになることを特徴とする請求項１記載の自転車の幼児用座席構造。
【請求項６】
前記係止ブロックは前記基部本体の中空の挿入柱を介して上下に回転できるようになることを特徴とする請求項１記載の自転車の幼児用座席構造。
【請求項７】
前記調節用ブロックは前記旋回座の旋回部材を介して前後に旋回可能になることを特徴とする請求項１記載の自転車の幼児用座席構造。
【請求項８】
前記座席本体の挿入スロットに係合した前記足載板は、係合をはずされて、再位置決めする前に適切な高さに調節できることを特徴とする請求項１記載の自転車の幼児用座席構造。
【請求項９】
前記支持プレートは前記足載板のフック片のところで適切な高さになるよう調節できるようになっていて、適切な高さの位置決め穴と係合したＬ字形フック手段の位置決めキーを介して再位置決めされるようにしたことを特徴とする請求項１記載の自転車の幼児用座席構造。
【請求項１０】
前記回転ヘッドはその一端部で前記座席本体の固定用プレートへ固着された係止用ボルトを介して回転できるようにしたことを特徴とする自転車の幼児用座席構造。
【請求項１１】
前記回転ヘッドの内側に保持された前記係合ブロックは、前記大小の圧縮バネによって押圧された時に、前後に摺動できるようになることを特徴とする自転車の幼児用座席構造。
【請求項１２】
前記前輪ブラケットは、前記座席本体の前記固定用プレートによって限定された前記半弓形の収容溝において上下に回転されるようになることを特徴とする自転車の幼児用座席構造。
【請求項１３】
前記回転車輪のついた後輪ブラケットは、前記キー溝付き連結具を介して車輪旋回座のところで上下に旋回されるようになることを特徴とする自転車の幼児用座席構造。
【請求項１４】
前記据付座は上下に動かして、車輪旋回座と係合したり、離脱したりできるようにしたことを特徴とする自転車の幼児用座席構造。
【請求項１５】
前記引出し部材は前記据付け本体の後方で、前後に引っ張って緩めることができるようにしたことを特徴とする自転車の幼児用座席構造。
【発明の詳細な説明】
【０００１】
【発明の属する技術分野】
本発明は、自転車の幼児用座席構造に関し、更に具体的に言うと、自転車に設置する幼児用座席でありながら、折り畳み式のベビーバギーにも、普通の幼児用の椅子にも変えられることができるという、異なる機能を合せ持つように構成された幼児用座席構造に関するものである。
【０００２】
【従来技術】
図１に示す従来形の自転車の幼児用座席構造は、通常、背もたれ体１０とその両側部に広がる肘掛部１１，１１、座席板１２とその両側部から下方へ伸長して延在する裾板１３，１３、内側で前記各肘掛部１１にそして側部で前記各裾板１３とに接続されている足載部１４，１４、前記各足載部１４の外側に取り付けられた足保護部材１５，１５を有する。
【０００３】
【発明が解決しようとする問題点】
このような従来の自転車の幼児用座席構造には次のような欠点がある。
まず第１に、前記座席構造はその使用方法が自転車にしか使えないので、機能的に単純であって、効率性や実用性に乏しい。
第２に、前記背もたれ体１０は、使用者の座り心地良さの要求に応えるように角度を調整する、ということができない。
第３に、前記足載部１４は固定的に設置されているので、異なる使用者が座ったときにその身長に合せて変化させることができない。
従って、本発明の第１の目的は、自転車の幼児用座席として自転車の荷台に適用することができる、あるいはベビーバギーとして、あるいは又普通の幼児用椅子として使用することのできる、多機能型の自転車の幼児用座席構造を提供することである。
【０００４】
本発明の第２の目的は、使用者の座り心地に合わせて色々な角度に調節することのできる背もたれユニットを有する、改良した自転車の幼児用座席構造を提供することである。
【０００５】
本発明の第３の目的は、異なる使用者の身長に合うように調節することのできる調節可能な足載部を備えた改良した自転車の幼児用座席構造を提供することである。
【０００６】
【課題を解決するための手段】
本発明は、背もたれユニットと、伸縮可能なハンドルセットと、座席ユニットと、２個の前輪ブラケットセットと、２個の後輪ブラケットセットと、基部ユニットと、据付座と、複数個の挿入ピンと、複数個のねじと、細長い丸棒とから構成される自転車の幼児用座席構造であって、前記幼児用座席構造が、前記背もたれユニット２０は、背もたれ本体２１と、該背もたれ本体の背面に固定用ブロック２２を介して固定用部材２４によって固定されたＵ字形状のスリーブ本体２３と、前記スリーブ本体２３に形成された半円形案内部２３１に上下方向の移動によって前記ハンドルセット３０を伸縮可能状態に保持する摩擦ブロック２５および偏心手段２６とから構成され、前記伸縮可能なハンドルセット３０は、下端に係止部材３１を装着した上下方向に移動可能な内管３２と、該内管３２の上端部を固定する半割筒状の下方管３３と、下方管３３の開口を上方より覆って連結される上方管３４とからなり、前記連結された上方，下方管３４，３３の外周囲には外管３５が配設され、左右両端開口部には、係止用カバー３６が装着されてなり、前記座席ユニット４０は、座席本体４１と前記背もたれ本体２１とを連結する連結部材４２と、水平一端部が座席本体４１の裏面側に支持され、垂直他端部背もたれ本体１の背面側に位置するように配設されたＬ字形フレーム４３と、前記座席本体の前側下方に着脱可能に装着された一対の足載板４４と、前記一対の足載板４４に連結された一対の支持プレート４５とから構成され、前記連結部材４２は、細長い箱状体であって、その内部に配置されたＬ字形摺動溝４２１と、その前方側に突出している細長い固定用片４２２とが形成されてあり、前記前輪ブラケットセット５０は、前記座席本体の側板の下方に装着される回転ヘッド５１と、係止ボルト５２と、係合ブロック５３と、大バネ５４と、小バネ５５と、旋回可能に接続された回転輪５６３が設けられた前輪ブラケット５６とナットとから構成され、前記後輪ブラケットセット６０は、リベット６１と、後輪ブラケット６２と、補強プレート６３と、連結プレート６４と、伸縮性プレート６５と、圧縮バネ６６と、回転輪６７と、複数個のリングワッシャ６８とから構成され前記リベット６１により前記座席本体４１の座席裏面側に配設した車輪旋回座７４に旋回可能に連結されており、前記基部ユニット７０は、基部本体７１と、２個の係止ブロック７２と、２個のバネ７３と、車輪旋回座７４と、強化片７５と、２本の強化ロッド７６と、２個のバネワッシャ７７と、２個のキー溝プレート７９とから構成されており、前記据付座８０は、台形ハウジングである据付本体８１と、２本のピンブロック８２と、２個の圧縮バネ８３と、引出し部材８４と、２個の挿入ボルト８５と、２個の三角形固着片８６と、翼状片８７とから構成され、前記細長い丸棒を、前記基部本体７１の細長い旋回用穴と前記車輪旋回座７４の２個の旋回ブロックとに通して、基部本体７１をその前面側で車輪旋回座７４に係合させ、前記基部本体７１が、その後方で前記調整用ブロックに隣接して、前記車輪旋回座の上表面に設置され、前記係止ブロックを、調節用ブロックの他端側で下方へ回転して、調節用ブロックを適切な位置へ位置付けて、使用時に基部本体が外れるのを防止するようにしてなり、前記据付座を前記三角形固着片と翼状片とを介して自転車の後部の荷台に固定して幼児用座席構造とし、あるいは、前記前輪ブラケット及び後輪ブラケットを下方へ回転させて地面に接地させると共に、前記伸縮可能なハンドルセットを使用するに適切な高さまで引っ張り上げることで、ベビーバギーとし、あるいはまた、前記後輪ブラケットを下方へ回して床に接地すると共に、前記前輪ブラケットは前記座席本体の収容溝の所に格納して、前記支持プレートを座席本体のＬ字形フック手段のところで適切な高さまで調節して、床に接地させて、適切な高さの位置決め穴へ前記位置決めキーを位置付けることで、通常の幼児用椅子にするというように様々に異なる使用目的に合わせて簡単に調節することができるようにしたことを特徴とする。
【０００７】
請求項２の発明は、請求項１記載の自転車の幼児用座席構造において、２本の伸長可能な内管は、スリーブ本体の半円形の案内路及び前記背もたれ本体の後側に配置された弓形摺動溝によって形成された空間に摺動できるようにしたことを特徴とする。
【０００８】
請求項３の発明は、請求項１記載の自転車の幼児用座席構造において、一側面で前記摩擦ブロックと隣接し、且つ、上部及び底部で固定用部材の半円形固定部分へ取り付けられた前記偏心手段は、前後に回転できるようになることを特徴とする。
【０００９】
請求項４の発明は、請求項１記載の自転車の幼児用座席構造において、前記Ｌ字形フレームは前記座席本体のギザギザの係合リブ上で再位置付けのために前後へ動かすことができ、使用に際し背もたれ本体の角度を調節できるようにしたことを特徴とする。
【００１０】
請求項５の発明は、請求項１記載の自転車の幼児用座席構造において、前記基部本体は前記車輪旋回座の２個の旋回ブロックを介して上下に回転できるようになることを特徴とする。
【００１１】
請求項６の発明は請求項１記載の自転車の幼児用座席構造において、前記係止ブロックは前記基部本体の中空の挿入柱を介して上下に回転できるようになることを特徴とする。
【００１２】
請求項７の発明は、請求項１記載の自転車の幼児用座席構造において、前記調節用ブロックは前記旋回座の旋回部材を介して前後に旋回可能になることを特徴とする。
【００１３】
請求項８の発明は、請求項１記載の自転車の幼児用座席構造において、前記座席本体の挿入スロットに係合した前記足載板は、係合をはずされて、再位置決めする前に適切な高さに調節できることを特徴とする。
【００１４】
請求項９の発明は、請求項１記載の自転車の幼児用座席構造において、前記支持プレートは前記足載板のフック片のところで適切な高さになるよう調節できるようになっていて、適切な高さの位置決め穴と係合したＬ字形フック手段の位置決めキーを介して再位置決めされるようにしたことを特徴とする。
【００１５】
請求項１０の発明は、請求項１記載の自転車の幼児用座席構造において、前記回転ヘッドはその一端部で前記座席本体の固定用プレートへ固着された係止用ボルトを介して回転できるようにしたことを特徴とする。
【００１６】
請求項１１の発明は、請求項１記載の自転車の幼児用座席構造において、前記回転ヘッドの内側に保持された前記係合ブロックは、前記大小の圧縮バネによって押圧された時に、前後に摺動できるようになることを特徴とする。
【００１７】
請求項１２の発明は、請求項１記載の自転車の幼児用座席構造において、前記前輪ブラケットは、前記座席本体の前記固定用プレートによって限定された前記半弓形の収容溝において上下に回転されるようになることを特徴とする。
【００１８】
請求項１３の発明は、請求項１記載の自転車の幼児用座席構造において、前記回転車輪のついた後輪ブラケットは、前記キー溝付き連結具を介して車輪旋回座のところで上下に旋回されるようになることを特徴とする。
【００１９】
請求項１４の発明は、前記据付座は上下に動かして、車輪旋回座と係合したり、離脱したりできるようにしたことを特徴とする。
【００２０】
請求項１５の発明は、前記引出し部材は前記据付け本体の後方で、前後に引っ張って緩めることができるようにしたことを特徴とする。
【００２１】
【発明の実施の形態】
以下、本発明の自転車の幼児用座席構造の一実施形態について、図２，３，そして図３Ａ，３Ｂ，３Ｃ，３Ｄを参照して説明する
本発明の幼児用座席は、背もたれユニット２０、伸縮可能なハンドルセット３０、座席ユニット４０、２個の前輪ブラケットセット５０、２個の後輪ブラケットセット６０、基部ユニット７０、据付用座８０、複数個の挿入ピン９０、複数個のねじ９１、細長い丸棒ピン９２から構成される。
【００２２】
まず、図２を参照しながら説明する。
背もたれユニット２０は、背もたれ本体２１、固定用ブロック２２、スリーブ本体２３、固定用部材２４、摩擦ブロック２５、偏心手段２６、伸縮可能なハンドルセット３０から構成される。
【００２３】
背もたれ本体２１の裏側には、その上方，下方部の両部分に配置された複数個の固定用柱２１１と、その中間部にあるギザギザ溝２１３によって示される複数個のネジ孔２１２と、その左右両側にそれぞれ垂直（上下方向）に伸びる弓状の凹部を有する摺動用溝２１４と、が形成されている。そして、前記背もたれ本体２１の左右両側部下方には２段式位置決め柱２１５がそれぞれ配置されている。
【００２４】
上部が広くて底部が狭いという形の固定用ブロック２２には、その内側の上部及び下部に三角形状となる位置にそれぞれ固定用柱２２１が、そして、その中間部に左右横フランジを限定する凹部２２２が形成されている。
【００２５】
全体がＵ字形状のブロック体であるスリーブ本体２３の左右それぞれの側に配置されたアームには、垂直に伸長する半円形案内路２３１がそれぞれ形成されている。それぞれの半円形案内路２３１の上端部には、その左右から外側に伸び出た固定用プレート２３２がそれぞれ形成されていて、そこに固定用孔２３３が形成されていて、更にその前方側には細長いスロット２３４が形成されている。スリーブ本体２３の横方向に延在する底部には、外側及び下方に伸び出して、一対のネジ孔２３６と両サイドに限定された一対のＵ字形係合用スロット２３７とが形成された係合板２３５が形成されている。
【００２６】
固定部材２４には、左右両側で外側に伸長している１対の固定用プレート２４１が設けられていて、各固定用プレート２４１には、貫通孔が形成されている。また湾曲部には一対の切起片２４２が形成されており、後述の偏心手段２６が旋回可能に枢着されるようになっている。
【００２７】
細長いブロック体である摩擦ブロック２５は、その前側の細長い溝２５１によって限定される。偏心手段２６には、その一端側に配置された楕円形の枢着ヘッド２６１が備えられていて、他端側に伸長する押圧ブレード２６２が備えられている。楕円形枢着ヘッド２６１には中心から外れた部分に貫通孔が形成されている。
【００２８】
伸縮可能なハンドルセット３０は、係止部材３１、伸縮可能とする内管３２、下方管３３、上方管３４、外側管３５、外側管３５の両端に装着される係止用カバー３６から構成される。
【００２９】
前記内管３２の下端部に嵌合される円柱の係止部材３１には、段差部を有しその小径段の外側周囲にピンホール３１１が形成されている。丸パイプ体である伸縮可能な内管３２には、その上方及び下方端部の外側周囲に固定用孔３２１が形成されている。上向きの半割筒体である下方管３３には、その底部に等間隔に分布された複数個の係止用柱３３１と、その左右両サイドに配置された１対の係合溝３３２とが形成されている。下向きの半割筒の上方管３４には、その底部に等間隔に分布された複数個の係止用柱３４１と、その左右両サイドに配置された１対の突出した固定柱３４２とが形成されている。
【００３０】
各々の突出した固定柱３４２は、その上方部の一側に挿入用孔３４３が形成されている。円筒管体である外管３５には、その底部に係合溝３５１が形成され、その外側周囲の一側に係合孔３５２が形成されている。半円形のカバー体である係止用カバー３６には、その内側で逆フックへと伸びている１対のフックプレート３６１が形成されている。
【００３１】
図２，３，３Ａを参照して更に説明する。
座席ユニット４０は、座席本体４１、連結部材４２、Ｌ字形フレーム４３、２枚の足載板４４、２本の支持プレート４５から成る。
【００３２】
座席本体４１は逆Ｌ字形座席板４１１及び両サイドで突出している弓形の側部フランジ４１２から構成されている。座席板４１１の下方前方側及び両側の弓形側部フランジ４１２の内側には、複数個の挿入用スロット４１３が等間隔に形成されている。両方の弓形側部フランジ４１２の下方外側にはそれぞれ、半弓形収容溝４１４が形成されていて、各々の収容溝には、１対の固定用プレート４１５が備え付けられ、その中心にはピン孔が形成されている。外側に形成された固定用プレート４１５には、４個のスロットが形成されている。
【００３３】
座席板４１１の下側には、複数個のギザギザの係合リブ４１６及び４個のネジ柱４１７が配置されており、座席板４１１の前方側には、突出フランジ４１８によって限定される逆さＵ字形凹部が形成されており、この逆さＵ字形凹部の端部には挿入用スロット４１３が形成されている。弓形側部フランジ４１２の後方端部には、斜めになった刻み目４１９が形成されている。
【００３４】
内側に面した連結部材４２には、その内部に配置されたＬ字形摺動溝４２１と、その前方側に突出している細長い固定片４２２とがある。
【００３５】
足載板４４には、その後方側及び側部の裏側に位置決め片４４１が、そして、反対側の側部４４３の前方部で突出しているＬ字形フック手段４４２が設けられている。Ｌ字形フック手段４４２には、１対のフック片４４３と、その底部でフック片４４３の下部に設置された位置決めキーが設けられている。
【００３６】
底部が広く上部が狭くなっているプレート体の支持プレート４５は、その底部には３個の楕円形貫通孔と、その中間部には等間隔に配置された複数個の細長い位置決め用孔４５１が形成されている。
【００３７】
前輪ブラケットセット５０について、図３Ａを参照して説明する。
前輪ブラケットセット５０は、回転ヘッド５１、係止ボルト５２、係合ブロック５３、大バネ５４、小バネ５５、前輪ブラケット５６、ナット５７から構成される。
【００３８】
内側方向へ向けて嵌められる円形のカバーである回転ヘッド５１は、その外側に回転摘み板５１１が形成され、その内側部材の一端部に突出していて挿入孔５１３が形成されたスリーブ・ロッド５１２が設けられている。
【００３９】
係止ボルト５２には、その一端部に軸方向に直行して固定用孔５２１が形成されており、その他端部に外側ネジ部５２２が形成されている。
【００４０】
円形をした係合ブロック５３には、その中央にスロット５３１が形成され、その端部から内側に突出している４本の係合脚５３２が設けられている。
【００４１】
前輪ブラケット５６には、その上方側に位置決め溝穴５６１と、該位置決め溝穴５６１を取り囲んでいる４個の位置決め溝５６１と、そして、その底部側に旋回可能に接続された回転輪５６３とが配置されている。
【００４２】
後輪ブラケットセット６０について、図３Ｂを参照して説明する。
後輪ブラケットセット６０は、リベット６１、後輪ブラケット６２、強化プレート６３、連結プレート６４、伸縮性プレート６５、圧縮バネ６６、回転輪６７、複数個のリングワッシャ６８から構成されている。
【００４３】
後輪ブラケット６２には、キー穴の開いた突出穴６２１がその一端の内側に配置され、円板回転輪６２２が他端で旋回可能に連結されて配置され、その内側中央部に複数個のネジ孔６２３が形成されている。
【００４４】
補強プレート６３には、複数個のネジ孔６３１が形成され、その一端部には、等間隔に並んだ３個の係合キー６３３の設けられたリング６３２が形成されている。
連結プレート６４には、その両端部それぞれに、連結穴６４１が形成されていて、その連結穴６４１の１つの底部には隣接ブロック６４２が形成されている。伸縮可能プレート６５には、その両端部に旋回用穴６５１が形成されている。
【００４５】
前記回転輪６７には、その中央部に２段式貫通穴６７１が備えられ、その一側にキー溝６７２が形成され、該キー溝６７２の内側には更に３個の窪みが等間隔に並んで形成され、その他端側にはキー溝付きシャフト６７４が配置され、そして、前記キー溝付きシャフト６７４の表面にキー部材６７５が突出している。
【００４６】
基部ユニット７０について、図３Ｃを参照して説明する。
基部ユニット７０は、基部本体７１、２個の係止ブロック７２、２個のバネ７３、車輪旋回座７４、強化部材７５、２本の強化ロッド７６、２個のバネワッシャ７７、２個のキー溝付きプレート７９とから成る。
【００４７】
基部本体７１は、その前方側に配置された細長い旋回用孔７１１と、その両サイドに配置された１対のキー溝付きスロット７１２と、その底部に等間隔に配置された複数個の位置決めフランジ７１３と、その後方の左右両側に配置された１対の中空の挿入用柱７１４と、各々の該中空の挿入用柱７１４の表面に形成された４個の係合リブ７１５と、から構成されている。
【００４８】
係止ブロック７２には、その上方部に２段式回転穴７２１が形成されており、この２段式回転穴７２１の小さい方の直径の前方表面には係合穴７２２が形成されている。
【００４９】
車輪旋回座７４では、２個の旋回ブロック７４１がその左右両側に配置され、４個の固着幼児用座席柱７４２がその上面に配置され、その後方側に弓形殻部７４３が上方へ向かって延在していて、この弓形殻部７４３の左右両側に旋回孔の付いた旋回用部材７４４が配置されており、そして、その前方底部には台形の保持空間７４５が形成されている。
【００５０】
台形の保持空間７４５には、その前方内側に挿入部７４５１と、その中間上側に４個の貫通孔７４５２とが形成されている。台形の保持空間７４５の左右両側には、１対の据付板７４６が配置され、該据付板７４６には固定用孔が形成されている。
【００５１】
１対の細長い弓形キー溝付きプレート７９が細長い弓形のキー溝付き連結具７４７に取付けられて、車輪座７４の側部後方に配置されている。キー溝付き連結具７４７の一端部には、スロットを有するキー溝付き接合具７４７１がその中央部に配置され、その外側表面に２個の係止溝７４２２が配置されている。キー溝付き連結具７４７の上部表面には、下方へ垂直に伸長する２本のネジ柱７４７３が形成されており、その一側面にはピンホール７４７４が形成されている。
【００５２】
強化部材７５は大，小部分から構成されており、小部分の表面には４個のネジ穴７５１が形成されている。強化ロッド７６は２段式の段差を有する中空柱から構成されている。細長いブロック本体である調整用ブロック７８には、その一側部側に２段式旋回ヒンジ７８１が形成されている。キー溝付きプレート７９は、その一側部側に配置されたキー溝付き穴７９１と、その他側を取り囲んでいる弓形フランジ７９２と、その底部側には固着手段７９３とを有する。弓形フランジ７９２及び固着手段７９３双方の表面にはそれぞれ１対のネジ穴７９４が設けられており、一方、キー溝付き穴７９１の他方側にはピンホールが形成されている。
【００５３】
据付座８０について、図３Ｄを参照して説明する。
据付座８０は、据付本体８１、２本のピンブロック８２、２個の圧縮バネ８３、引出し部材８４、２個の挿入ボルト８５、２個の三角形固着片８６、翼状片８７から構成される。据付本体８１はほぼ三角形状のハウジングから形成され、その前方上部側に摺動案内路８１１が形成されており、摺動案内路８１１の前方には複数個のリブ８１２が突出して、その後方側には左右に据付穴８１４１を有する据付片８１４が形成されている。挿入片８１５は、その左右にＵ字形逃げ溝８１５１が形成されていて、据付片８１４に対応して形成されている。左右にＵ字形逃げ溝８１５１には左右の一対の矩形挿入ブロック８１６が配設され、各々のブロック８１６には接続用穴８１６１が形成されており、挿入片８１５に対して隣接しており、接続穴８１６１がＵ字形逃げ溝８１５１と据付穴８１４１に対応している。
各挿入ブロック８１６の上側には、係合スロット８１６２が形成され、据付本体８１の下側は、Ｕ字形保持溝８１７によって限定されている。
【００５４】
２段構造手段であるピンブロック８２には、その小径の端部にピンホール８２１が形成されている。引出部材８４には、その左右両側に１対の据付柱８４１が配置されており、その上方中間部には弓径引出し部分８４２が形成されている。
【００５５】
２段に段差を有する構造の挿入ボルト８５はその小直径部の前方端部に軸方向と直行する挿入孔８５１が形成されている。中間部に弓形部材が限定されている三角形固着片８６は、その三隅に固定用穴８６１が形成されている。中間の弓形部を有する矩形の翼状体である翼状片８７には、その四隅に固定用穴８７１が形成されている。
【００５６】
図４を参照して、本考案の自転車の幼児用座席構造の組立方法を説明する。
先ず、係止部材３１を伸縮可能な内管３２の下方端部に嵌め入れて、固定用穴３２１とピンホール３１１に通した挿入ピン９０を介して固定する。上方及び下方管３４，３３を重ね合わせて閉じ、係合柱３３１及び係合柱３４２をネジ９１を介して共にネジ止め係合する。外管３５を誘導して、上方，下方管３４，３３の外周囲縁にスリーブ止めする。伸縮可能な内管３２を突出した固定用柱３４２へ挿入して、係合穴３５２と、挿入穴３４３と、固定用穴３２１とをそれぞれ重ね合せて挿入ピンを通して固着する。外管３５が嵌められた上方，下方管３４，３３の両端部へ係止用カバー３６を嵌め込んで、カバー３６のフックプレート３６１を介して外管３５をフック止めする。
【００５７】
次に、スリーブ本体２３を背もたれ本体２１の後側へ取り付ける。
固定用プレート２４を半円形案内路２３１の上方部に取りつけて、固定用プレート２４１を固定用プレート２３２に対して隣接して位置付ける。ネジ９１を固定用プレート２４１及び固定用プレート２３２を介してネジ入れてスリーブ本体２３を前記背もたれ本体２１へ取り付けて、前記背もたれ本体２１の上方部に配置されている固定用柱２１１へネジ止めされ、更にまた、ネジ穴２３６からネジを入れて、下方部に配置された固定用柱２１１へ係合させる。
【００５８】
弓形の摺動溝２１４及び半円形案内路２３１によって形成された空間を介して伸縮可能となる内管３２を導入する。摩擦ブロック２５を細長い貫通穴２４２へ入れて細長いスロット２３４の内側へ押し入れる。
そして、偏心手段２６を固着部材２４の切起によって形成した固着部２４３に通した挿入ピンを介して摩擦ブロック２５に対してきっちりと隣接して位置決めして止める。大径頭部を有する係止柱２１５を斜め切欠部４１９を用いて案内係止し、連結部材４２を介してそこへ位置付けると、その中に配置されている摺動溝４２１が係止柱２１５を介して導き入れられて、連結部材４２に係合される。背もたれ本体２１は、連結部材４２を介して、斜め切欠部４１９の中で前後に動いて調節できるようになる。
【００５９】
Ｌ字状フレーム４３を背もたれ本体２１の後側と座席本体４１の下側に当てる。Ｌ字状フレーム４３の下方部はギザギザの係合リブ４１６と係合し、その上方部は、背もたれ本体２１の後側に隣接するように、Ｕ字形係合スロット２３７によって位置決めされる。
固定用ブロック２２はネジ９１を介して挿入スロット４１３へ嵌め込まれて固着され、Ｌ字状フレーム４３の上方端部を凹部２２２によって制限するようにする。背もたれ部材２１はＬ字状フレーム４３のせいで運動を制限されるようになる。
【００６０】
位置付け片４４１を介して、適切な高さの挿入用スロット４１３へ足載板４４を挿入支持する。次に、支持プレート４５の位置決め穴４５１を介して、前記足載板４４のフック片４４３の位置決めキー４４４と結合し、適切な高さに位置付ける。
係止ボルト５２を回転ヘッド５１のスリーブロッド５１２へ挿入し、ピンホール５１３と固定用孔５２１へピン９０を通して回転ヘッド５１へしっかりと止める。そして、係合ブロック５３を係止ボルト５２に通し入れて回転ヘッド５１の内部に収容する。小バネ５５を中に入れた大バネ５４をスリーブロッド５１２の周囲縁にスリーブ状に嵌める。さらに、前輪ブラケット５６を固定用プレート４１５によって限定される収容溝４１４へ位置付ける。一端を回転ヘッド５１に係合した係止ボルト５２を固定用プレート４１５と位置決め溝５６１とに通して、係止ボルト５２の他端に形成されている外ネジ５２２を介して、固定用プレート４１５の他方側に配置されたナット５７へネジ止めされる。
係合ブロック５３の４個の係合用脚５３１を、固定用プレート４１５の４個のスロットと４個の位置決め孔５６２とへ挿入してから、固定用プレート４１５に前輪ブラケット５６固定する。
【００６１】
係止ブロック７２を２段式回転孔７２１を介して中空の挿入柱７１４へ接続し、４個の係合孔７２２が４個の係合リブ７１５へ合わせ入れる。その周囲にバネ７３をスリーブ止めしたネジ９１を、２段式回転孔７２１に通して中空の挿入柱７１５へ止め、該バネ７３を２段式回転孔７２１の小径段に当接するようにさせる。枢軸としての中空の挿入柱７１４を介して、そこで係止ブロック７２が上下に旋回されるようになる。強化部材７５を、横のネジ穴７５１を介して、台形の保持室７４５にある４個の貫通孔７４５２へネジ係合させる。バネワッシャー７７が、調節用ブロック７８の２段式旋回用ヒンジ７８１に位置付けられる。２段式強化ロッド７６の小径段が旋回部材７４４の上側に被せられてそこをカバーする。こうしてから、調節用ブロック７８を旋回部材７４４の下側に位置付けて、ネジ９１で締めて、旋回可能に接続するようにする。旋回部材７４４を介して、調節用ブロック７８が、そこで前後に旋回するようになる。
細長い丸棒９２を細長い旋回用穴７１１と両側に配置された旋回ブロック７４１とに挿入して、基部本体７１を車輪旋回座７４とその前面側で係合するようにする。こうして、基部本体７１は車輪旋回座７４の上表面に設置付けられると、その左右後方で、上述したように組立てた調節用ブロック７８に連結して位置決め固定される。
【００６２】
その後、係止ブロック７２を調節用ブロック７８の他端側で下方へ回転して、調節用ブロック７８を適切な位置へ位置付けて、調節用ブロック７８が使用時に外れるのを防止する。基部本体７１が設置された状態の車輪旋回座７４が座席本体４１の下側にネジ止めされて、４個の固定用柱７４２及び４個のネジ柱４１７と係合状態になる。Ｌ字状フレーム４３はその底部で位置決めフレーム７１３に係合する。キー付きプレート７９をキー付き連結具７１３に嵌め込んでから、ネジ孔７９４とネジ柱７４７３とにボルトを嵌めて接続する。
【００６３】
強化プレート６３をネジ９１で後輪ブラケット６２へ締め付ける。圧縮バネ６６を２段式貫通穴６７１の大径６７１部分に嵌めてそこに位置付ける。リングワッシャ６８と一緒にリベット６１を、キー付き突出穴６２１及び２段式貫通穴６７１を通して案内入れて、キー付き接合具７４７１の中心配置したスロットへリベット接続し、後輪ブラケット６２と回転輪６７とを車輪旋回座７４に旋回可能に係合する。伸長性プレート６５はリングワッシャ６８と共に、一端でキー付き連結具７４７とキー付きプレート７９とに挿入ピン９０で旋回自在に接続される。連結プレート６４はリングワッシャ６８と共に、一端で強化プレート６３のネジ穴６３１へ挿入ピン９０で旋回可能に固定される。連結プレート６４はリングワッシャ６８と共に、他端で伸縮性プレート６５へで旋回可能に固着される。このように構成することにより、伸縮性プレート６５は使用時に或る距離を外側へ伸び出させることができるようになる。
【００６４】
挿入用ボルト８５を据付柱８４１に通し、圧縮バネ８３を据付部材８１４と挿入部材８１５の間にはさみ込むようにする。２段式のピンブロック８２の小径段が接続穴８１６１へ通される。挿入ボルト８５が取りつけられた引出し部材８２１が据付本体８１の後部から覆われて、挿入ボルトが据付け穴８１４１を通され、圧縮バネ８３に通され、Ｕ字形の逃げ溝８１５１へと導かれ、ピンブロック８２へスリーブ接続される。挿入ピン９０が用いられて、挿入ボルト８５とピンブロック８２とを係合スロット８１６２に通して接続し、これで本発明の自転車の幼児用座席構造の組立てが完成する。
【００６５】
図５を参照しながら、自転車の幼児用座席構造の使用方法を説明する。
背もたれ本体２１の角度を調節するには、図５に示すように、係止ブロック７２が上方へ回転されて、調節用ブロック７８が外側へ回転されるようになる。調節用ブロック７８を隣接させないでおくと、前方部に位置する旋回ブロック７４１に旋回可能に取り付けられている基部本体７１が、その後側で或る程度下に下がるようになる。そうすると、Ｌ字形フレーム４３は位置決めフランジ７１３から外れて、そのギザギザの係合リブ上で前後へ簡単に調節できるようになる。一方、背もたれ本体２１は、Ｌ字形フレーム４３の動きによって色々と異なる角度へ調節されるようになる。背もたれ本体２１が適切な角度へ調節された場合、基部本体７１が上方へ持ち上げられて、調節用ブロック７８と係止ブロック７２が後方へ回転して、基部本体７１に対してぴったりと隣接するようになる。Ｌ字形フレーム４３が再度設置し直されて、位置決めフランジ７１３に係合されると、背もたれ本体２１が適切な角度へ調節されるようになる。
【００６６】
図６を参照して、本発明の自転車の幼児用座席構造を自転車の後部荷台Ａに組み付ける方法を説明する。
据付本体８１のリブ８１２が車輪旋回座７４の摺動案内路８１１に通されて、挿入部材７４５１に係合される。据付本体８１に係合した引出し部材８４が引出されると、挿入ボルト８５とピンブロック８２を後方へ引っ張って、圧縮バネ８３が圧縮される。挿入ボルト８５とピンブロック８２が後方へ引っ張られた場合、据付本体８１が上方へ持ち上げられて、車輪旋回座７４の下側に対して隣接し、台形の保持室７４５へ収容されるようになる。車輪旋回座７４の据付けプレート７４６がスロット８１６２に通されて、中で挿入ブロック８１６と係合するようになる。引出された引出し部材８４が解除されたらば、挿入ボルト８５及びピンブロック８２が、圧縮バネ８３を介して下へ戻される。接続穴８１６１に通されたピンブロック８２が挿入ブロック８１６で再度位置決めされて、据付座８０の上に車輪旋回座７４を固着する。そして、車輪旋回座７４と係合した据付座８０を後部荷台Ａに乗せる。三角部材８６および翼形パネル８７が据付本体８１の下側から適用されて、図６に示すように、自転車の後部荷台Ａの上に据付座８０をしっかりと固定する。
【００６７】
図７を参照して、本発明の自転車の幼児用座席構造の他の使用方法を説明する。
本発明の自転車の幼児用座席構造をベビーバギーとして利用するには、回転輪６７と共に後輪ブラケット６２を適切な距離を後方へ押し付ける。こうすると、圧縮バネ６６がきっちりと圧縮される。最大限まで伸ばされたならば、後輪ブラケット６２は圧縮バネ６６を介して回転輪６７を後方へ持ってゆく。すると、キー付き溝のシャフト６７４の表面に配置されたキー部材６７５がキー付き連結具７４７１の下方面に配置された係止溝７４２２に係合するようになり、後輪ブラケット６２が適所に再位置付けされて、ベビーバギー使用に対して、旋回輪５２２が地面に接地される。キー付き突出穴６２１は、キー付き溝６７２と固着係合し、実際にベビーバギーとして使用して押している最中に、後輪ブラケット６２が外れないようにする。
【００６８】
回転ヘッド５１が係止ボルト５２を介して外側に回転されると、圧縮された大小のバネ５４によって、係合ブロック５３を中に保持させて隣接させると、その結果、外側に摺動するようになる。すると、４個の係合脚５３２は、前輪ブラケット５６の４個の位置決め穴５６２から外れて、前輪ブラケット５６が下方へ曲げられて、それに取りつけられている回転輪５６３が地面に接地するようになる。回転ヘッド５１が後方へ廻されて、最初の第１地点へ戻され、前輪ブラケット５６が係合脚５３２を介して再位置付けされて、４個の位置付け穴５６２に係合されるようになる。
【００６９】
一側で摩擦ブロック２５に隣接している偏心手段２６が或る角度だけ回わされると、摩擦ブロック２５を解除して、その間に隙間が生じるようになる。そして、上方及び下方管３４，３３が下方へ引っ張られ、伸縮性内管３２を引き上げ適切な高さへ調節される。係止部材３１は伸縮性内管３２がスリーブ本体２３から摺動して外れてしまうのを防止する。その後、偏心手段２６は後方へ回されて摩擦ブロック２５に対してぴたりと隣接させると、図７に示すように、調節された伸縮性内管３２を使用状態に対して適所に保持するようになる。
【００７０】
図８では、本発明の自転車の幼児用座席構造を通常の幼児用椅子に使用するのを説明する。
まず、両方の後輪ブラケット６２を下に降ろす。支持プレート４５がフック片４４３の所で適切な高さに調節され、細長い位置決め穴４５１を介してしっかりと位置付けられて、位置決めキー４４４に係合されるようになる。前輪ブラケット５６が内側に回されて、収容される。足踏み台４４を係合している挿入用スロット４１３からはずし、適切なる位置の挿入スロットへ再び位置付けて、使用状態に対応して足載台の高さを調節するようにする。
【００７１】
【発明の効果】
以上のように構成した自転車の幼児用座席構造によれば、前記据付座を前記三角形固着片と翼状片とを介して自転車の後部の荷台に固定して幼児用座席構造とし、あるいは、前記前輪ブラケット及び後輪ブラケットを下方へ回転させて地面に接地させると共に、前記伸縮可能なハンドルセットを使用するに適切な高さまで引っ張り上げることで、ベビーバギーとし、あるいはまた、前記後輪ブラケットを下方へ回して床に接地すると共に、前記前輪ブラケットは前記座席本体の収容溝の所に格納して、前記支持プレートを座席本体のＬ字形フック手段のところで適切な高さまで調節して、床に接地させて、適切な高さの位置決め穴へ前記位置決めキーを位置付けることで、通常の幼児用椅子にするというように様々に異なる使用目的に合わせて簡単に調節することができるので、多機能な使用ができて、効率性や実用性が優れている。
【００７２】
前記背もたれ体は、角度を調整することが可能であり、使用者の座り心地良さの要求に応えることができる。
【００７３】
前記足載部は、脱着可能に設置されているので、異なる使用者が座ったときにその身長に合せて変化させることができる。
【図面の簡単な説明】
【図１】従来の自転車の幼児用座席構造の斜視図。
【図２】本発明の自転車の幼児用座席構造の背もたれユニットの破断斜視図。
【図３】本発明の自転車の幼児用座席構造の部分破断図。
【図３Ａ】本発明の自転車の幼児用座席構造の座席ユニット及び前輪ブラケットの拡大破断図。
【図３Ｂ】本発明の自転車の幼児用座席構造の座席ユニット及び後輪ブラケットの拡大破断図。
【図３Ｃ】本発明の自転車の幼児用座席構造の基部ユニットの拡大破断図。
【図３Ｄ】本発明の自転車の幼児用座席構造の据付座の拡大破断図。
【図４】本発明の自転車の幼児用座席構造の組立て完了斜視図。
【図５】本発明の自転車の幼児用座席構造の背もたれユニットの角度調節を示す図。
【図５Ａ】本発明の自転車の幼児用座席構造の係止ブロックの回転と調節ブロックを示す一部拡大図。
【図６】本発明の自転車の幼児用座席構造を自転車の後部荷台に据え付けて実際に使用する状態を示す図。
【図７】本発明の自転車の幼児用座席構造をベビーバギーへ変化させた使用状態を示す図。
【図８】本発明の自転車の幼児用座席構造を普通の幼児用椅子へ変化させた使用状態を示す図。
【符号の説明】
２０    背もたれユニット
２１    背もたれ本体
２２    固定用ブロック
２３    スリーブ本体
２４    固定用部材
２５    摩擦ブロック
２６    偏心手段
３０    伸長可能なハンドルセット
３１    係止部材
３２    伸縮可能な内管
３３    下方管
３４    上方管
３５    外側管
３６    係止用カバー
４０    座席ユニット
４１    座席本体
４２    連結部材
４３    Ｌ字形フレーム
４４    ２枚の足載板
４５    ２本の支持プレート
５０    前輪ブラケットセット
５１    回転ヘッド
５２    係止ボルト
５３    係合ブロック
５４    大バネ
５５    小バネ
５６    前輪ブラケット
５７    ナット
６０    後輪ブラケットセット
６１    リベット
６２    後輪ブラケット
６３    強化プレート
６４    連結プレート
６５    伸縮性プレート
６６    圧縮バネ
６７    回転輪
６８    複数個のリングワッシャ
７０    基部ユニット
７１    基部本体
７２    係止ブロック
６３    バネ
７４    車輪旋回座
７５    強化片
７６    強化ロッド
７９    キー溝プレート
８０    据付座
８１    据付本体
８２    ピンブロック
８３    圧縮バネ
８４    引出し部材
８５    挿入ボルト
８６    三角形固着片
８７    翼状片
【図１】
0003632132.tif 000002
【図２】
0003632132.tif 000003
【図３】
0003632132.tif 000004
【図３Ａ】
0003632132.tif 000005
【図３Ｂ】
0003632132.tif 000006
【図３Ｃ】
0003632132.tif 000007
【図３Ｄ】
0003632132.tif 000008
【図４】
0003632132.tif 000009
【図５】
0003632132.tif 000010
【図５Ａ】
0003632132.tif 000011
【図６】
0003632132.tif 000012
【図７】
0003632132.tif 000013
【図８】
0003632132.tif 000014